(57)【要約】【課題】上階の床面積を狭くすることなく、下階から上階に吹き抜ける吹抜け部を設けることができるとともに、下階の部屋と上階の部屋との間でコミュニケーションをとり易い建物を提供する。【解決手段】建物の外壁１５ａに、この外壁１５ａから外側に突出する平断面視コ字型の突出外壁１６が下階から上階に亙って設けられ、この突出外壁１６の内側に吹抜け部１７が設けられ、この吹抜け部１７の下部空間１７ａは、下階にある部屋６と連通し、上部空間１７ｂは、上階にある部屋１０，１２と内壁１８を介して面しており、この内壁１８に開口部２０が設けられているので、上階の床面積を狭くすることなく、吹抜け部１７を設けることができ、この開口部２０を通して、下階の部屋６と上階の部屋１０，１２との間でコミュニケーションをとり易くなる。【選択図】図１
2010065412.tif 000002
【特許請求の範囲】
【請求項１】
建物の外壁に、この外壁から外側に突出する平断面視コ字型の突出外壁が下階から上階に亙って設けられており、
前記突出外壁の内側には、下階から上階に吹き抜ける吹抜け部が設けられており、
この吹抜け部の下部空間は、下階にある部屋と連通しており、
前記吹抜け部の上部空間は、上階にある部屋と内壁を介して面しており、
この内壁に開口部が設けられていることを特徴とする建物。
【請求項２】
請求項１に記載の建物において、
上階には天井高が０．９〜１．４ｍの収納用の部屋が設けられており、
この収納用の部屋が前記吹抜け部の上部空間に前記内壁を介して面していることを特徴とする建物。
【請求項３】
請求項１または２に記載の建物において、
前記吹抜け部の上部空間に面して前記上階の部屋が複数並設されていることを特徴とする建物。
【請求項４】
請求項１〜３のいずれか一項に記載の建物において、
前記突出外壁が設けられた外壁に対向する建物の外壁に面して、下階から上階に至る階段用の階段室が設けられており、
この階段室と前記吹抜け部との間は、上階および下階のそれぞれにおいて空気が流通可能となっていることを特徴とする建物。
【請求項５】
請求項１〜４のいずれか一項に記載の建物において、
上階の外壁には、前記突出外壁に隣接してバルコニーが設けられており、このバルコニーの下方にある下階の外壁は、前記上階の外壁より外側に突出しており、この下階の外壁の上端部によって前記バルコニーが下方から支持されており、前記バルコニーの手摺壁の端部が前記突出外壁の側部に連結されていることを特徴とする建物。
【発明の詳細な説明】
【技術分野】
【０００１】
本発明は、下階から上階に吹き抜ける吹抜け部が設けられた建物に関する。
【背景技術】
【０００２】
１階から２階に吹抜ける吹抜け部が設けられた建物の一例として特許文献１に記載されたものが知られている。
この建物では、建物の外壁に面して１階から２階に吹き抜ける吹抜け部が設けられており、この吹抜け部の下部空間はリビングとなっている。また、吹抜け部の上部空間は２階の廊下に面している。
【特許文献１】特開２００７−１０７３３３号公報
【発明の開示】
【発明が解決しようとする課題】
【０００３】
ところで、上記のような吹抜け部を有する従来の建物では、吹抜け部が建物の外壁の内側に設けられているので、吹抜け部を設けると、その上部空間の分だけ２階の床面積が狭くなってしまうという課題がある。
また、前記吹抜け部の上部空間は、２階の廊下に面しているために、吹抜け部があっても、２階の部屋と１階のリビングとの間でコミュニケーションをとり難いという課題もある。
【０００４】
本発明は上記事情に鑑みてなされたもので、上階の床面積を狭くすることなく、下階から上階に吹き抜ける吹抜け部を設けることができるとともに、下階の部屋と上階の部屋との間でコミュニケーションをとり易い建物を提供することを課題としている。
【課題を解決するための手段】
【０００５】
上記課題を解決するために、請求項１に記載の発明は、例えば図１および図２に示すように、建物の外壁１５ａに、この外壁１５ａから外側に突出する平断面視コ字型の突出外壁１６が下階から上階に亙って設けられており、
前記突出外壁１６の内側には、下階から上階に吹き抜ける吹抜け部１７が設けられており、
この吹抜け部１７の下部空間１７ａは、下階にある部屋６と連通しており、
前記吹抜け部１７の上部空間１７ｂは、上階にある部屋１０，１２と内壁１８を介して面しており、
この内壁１８に開口部２０が設けられていることを特徴とする。
【０００６】
ここで、内壁に開口部を設ける場合、内壁に窓等の開口部を設けてもよいし、内壁の上部全体を開口としてもよい。内壁の上部全体を開口とする場合、内壁自体を腰壁とすることによって、内壁の上部全体が開口となる。
【０００７】
請求項１に記載の発明によれば、突出外壁１６の内側に、下階から上階に吹き抜ける吹抜け部１７が設けられており、吹抜け部１７の上部空間は、上階にある部屋１０，１２と内壁１８を介して面しているので、上階の床面積を狭くすることなく、吹抜け部１７を設けることができ、また、下階の部屋６を吹抜け部１７の下部空間１７ａまで広げることができる。
また、前記内壁１８に開口部２０が設けられているので、この開口部２０を通して、下階の部屋６と上階の部屋１０，１２との間でコミュニケーションをとり易くなる。
さらに、突出外壁１６からの輻射熱が吹抜け部１７を通って上方に抜けるので、下階の部屋６を快適に保てる。
【０００８】
請求項２に記載の発明は、例えば図５〜図７に示すように、請求項１に記載の建物において、
上階には天井高が０．９〜１．４ｍの収納用の部屋７５が設けられており、
この収納用の部屋７５が前記吹抜け部８１の上部空間８１ｂに前記内壁８５を介して面していることを特徴とする。
【０００９】
請求項２に記載の発明によれば、収納用の部屋７５に、内壁８５に形成された開口部８６を通して空気を出し入れできる、つまり換気を行える。また、内壁８５に形成された開口部８６を通して、収納用の部屋７５に採光をとれる。さらに、収納用の部屋７５で作業する場合に、内壁８５に形成された開口部８６を通して、下階の部屋８２とコミュニケーションをとることができる。
【００１０】
請求項３に記載の発明は、例えば図１および図２に示すように、請求項１または２に記載の建物において、
前記吹抜け部１７の上部空間１７ｂに面して前記上階の部屋１０，１２が複数並設されていることを特徴とする。
【００１１】
請求項３に記載の発明によれば、吹抜け部１７の上部空間１７ｂに面して上階の部屋１０，１２が複数並設されているので、この上部空間１７ｂを通して、上階の部屋１０，１２どうしの間でもコミュニケーションをとることができる。
【００１２】
請求項４に記載の発明は、請求項１〜３のいずれか一項に記載の建物において、
前記突出外壁１６が設けられた外壁１５ａに対向する建物の外壁１５ｂに面して、下階から上階に至る階段用の階段室２１が設けられており、
この階段室２１と前記吹抜け部１７との間は、上階および下階のそれぞれにおいて空気が流通可能となっていることを特徴とする。
【００１３】
請求項４に記載の発明によれば、階段室２１と吹抜け部１７との間は、上階および下階のそれぞれにおいて空気が流通可能となっているので、上階と下階との間で、階段室２１と吹抜け部１７を通して空気が流通し、建物全体の換気を容易にとることができる。
【００１４】
請求項５に記載の発明は、請求項１〜４のいずれか一項に記載の建物において、
上階の外壁１５ａには、前記突出外壁１６に隣接してバルコニー２３が設けられており、このバルコニー２３の下方にある下階の外壁１５ｃは、前記上階の外壁１５ａより外側に突出しており、この下階の外壁１５ｃの上端部によって前記バルコニー２３が下方から支持されており、前記バルコニー２３の手摺壁２３ａの端部が前記突出外壁１６の側部に連結されていることを特徴とする。
【００１５】
請求項５に記載の発明によれば、上階の外壁１５ａより外側に突出している下階の外壁１５ｃの上端部によってバルコニー２３が下方から支持されており、このバルコニー２３の手摺壁２３ａの端部が突出外壁１６の側部に連結されているので、バルコニー２３を上階の外壁１５ａから長く突出させても確実に支持することができ、よって、奥行きのあるバルコニー２３を得ることができる。
【発明の効果】
【００１６】
本発明によれば、建物の外壁に、この外壁から外側に突出する平断面視コ字型の突出外壁が下階から上階に亙って設けられており、前記突出外壁の内側に、下階から上階に吹き抜ける吹抜け部が設けられており、この吹抜け部の下部空間は、下階にある部屋と連通しており、前記吹抜け部の上部空間は、上階にある部屋と内壁を介して面しており、この内壁に開口部が設けられているので、上階の床面積が狭くなることがなく、また、開口部を通して、下階の部屋と上階の部屋との間でコミュニケーションをとり易くなる。
【発明を実施するための最良の形態】
【００１７】
以下図面を参照して本発明の実施の形態について説明する。
（第１の実施の形態）
図１および図２は本発明に係る建物の第１の実施の形態を示すもので、図１は１階の平面図、図２は２階の平面図である。
【００１８】
建物の１階においては、図１に示すように、玄関１の南側に和室２が設けられ、玄関１の北側に浴室３、洗面室４、トイレ５が東西に並んで設けられている。
和室２の東側に居間６が設けられており、この居間６の北側にキッチン７が設けられている。また、キッチン７とトイレ５との間には、１階から２階に至る階段８が設けられている。
【００１９】
建物の２階においては、図１に示すように、前記階段８の下り口近傍に階段ホール９が設けられており、この階段ホール９の南側に部屋１０が設けられている。この部屋１０は平面視において略Ｌ型に形成されており、その一方の端部側にはウォークインクローゼット１０ａが建物の北東角部に設けられている。
また、階段８の東側には部屋１１が設けられており、この部屋１１の南側には部屋１２が設けられている。なお、階段８とウォークインクローゼット１０ａとの間にはトイレ１３が階段ホール９に面して設けられている。
そして、この階段ホール９から部屋１０，１１，１２にそれぞれ行き来できるようになっている。
【００２０】
図１および図２に示すように、建物の南側の外壁１５ａには、この外壁１５ａから外側に突出する平断面視コ字型の突出外壁１６が１階（下階）から２階（上階）に亙って設けられている。この突出外壁１６は１階床の高さから２階天井の高さに亙って設けられている。
この突出外壁１６の内側には、１階から２階に吹き抜ける吹抜け部１７が設けられている。この吹抜け部１７は２階の天井まで吹き抜けている。吹抜け部１７の下部空間１７ａは１階の居間（部屋）６と連通しており、これによって居間６を拡張している。
また、突出外壁１６には、窓１６ａ，１６ａが１階部分において設けられている。
【００２１】
前記吹抜け部１７の上部空間１７ｂは、２階にある部屋１０，１２と内壁１８を介して面している。この内壁１８は腰壁１８であり、この腰壁１８の上部は開口部２０となっている。
そして、前記上部空間１７ｂに面して、前記部屋１０，１２が並設されている。したがって、部屋１０，１２は、腰壁１８上の開口部２０を通して吹抜け部１７の上部空間１７ｂと連通している。
また、突出外壁１６には、窓１６ｂ，１６ｂが２階部分において設けられている。
【００２２】
また、前記突出外壁１６が設けられた建物の外壁１５ａに対向する外壁１５ｂに面して、前記階段８用の階段室２１が設けられている。なお、この階段室２１には１階のトイレ５も設けられている。
そして、この階段室２１と前記吹抜け部１７との間は、１階および２階のそれぞれにおいて空気が流通可能となっている。
すなわち、１階においては、図１に示すように、吹抜け部１７の下部空間１７ａが居間６と連通しており、この居間６に階段室２１の下部空間が面している。したがって、１階においては、吹抜け部１７の下部空間１７ａと、階段室２１の下部空間とが居間６を通して連通している。
２階においては、図２に示すように、吹抜け部１７の上部空間１７ｂが開口部２０を通して部屋１０，１２と連通しており、該部屋１０，１２のドア１０ａ，１２ａに設けられた通風口を通して、部屋１０，１２と階段ホール９とが連通されている。そして、階段ホール９に階段室２１の上部空間が面している。したがって、２階においては、吹抜け部１７の上部空間１７ｂと、階段室２１の上部空間とが部屋１０，１２、階段ホール９を通して連通している。
このようにして、階段室２１と吹抜け部１７との間は、１階および２階のそれぞれにおいて空気が流通可能となっている。
【００２３】
また、図２に示すように、２階の外壁１５ａには、突出外壁１６に隣接してバルコニー２３が設けられており、このバルコニー２３には部屋１０から行き来可能になっている。
バルコニー２３の下方にある１階の外壁１５ｃは、２階の外壁１５ａより外側に突出しており、この１階の外壁１５ｃの上端部によって、バルコニ−２３が下方から支持されている。また、バルコニー２３の手摺壁２３ａの端部は突出外壁１６の側部に連結されている。
【００２４】
本実施の形態によれば、突出外壁１６の内側に、１階から２階に吹き抜ける吹抜け部１７が設けられており、吹抜け部１７の上部空間１７ｂは、２階にある部屋１０，１２と腰壁１８を介して面しているので、２階の床面積を狭くすることなく吹抜け部１７を設けることができ、また、１階の居間６を吹抜け部１７の下部空間１７ａまで広げることができる。
また、前記腰壁１８の上部が開口部２０となっているので、この開口部２０を通して、１階の居間６と２階の部屋１０，１２との間でコミュニケーションをとり易くなる。
さらに、突出外壁１６からの輻射熱が吹抜け部１７を通って上方に抜けるので、１階の居間６を快適に保てる。
加えて、吹抜け部１７の上部空間１７ｂに面して２階の部屋１０，１２が並設されているので、この上部空間１７ｂを通して、２階の部屋１０，１２どうしの間でもコミュニケーションをとることができる。
【００２５】
また、階段室２１と吹抜け部１７との間は、１階および２階のそれぞれにおいて空気が流通可能となっているので、１階と２階との間で、階段室２１と吹抜け部１７を通して空気が流通し、建物全体の換気を容易にとることができる。
また、２階の外壁１５ａより外側に突出している１階の外壁１５ｃの上端部によってバルコニー２３が下方から支持されており、このバルコニー２３の手摺壁２３ａの端部が突出外壁１６の側部に連結されているので、バルコニー２３を２階の外壁１５ａから長く突出させても確実に支持することができ、よって、奥行きのあるバルコニー２３を得ることができる。
【００２６】
（第２の実施の形態）
図３および図４は本発明に係る建物の第２の実施の形態を示すもので、図３は１階の平面図、図４は２階の平面図である。
【００２７】
建物の１階においては、図３に示すように、玄関３１の南側に居間３２が設けられ、玄関３１の北側に浴室３３、洗面室３４、トイレ３５が東西に並んで設けられている。
居間３２の東側に食堂３６が設けられ、食堂３６の東側にキッチン３７が設けられている。
また、キッチン３７の北側には、天井高が０．９〜１．４ｍの収納室３８が設けられており、この収納室３８にはキッチン３７から出入りできるようになっている。
さらに、収納室３７とトイレ３５との間には、１階から２階に至る階段３９が設けられている。
収納室３８上には、部屋４０が設けられており、この部屋４０の床は階段３９の踊り場３９ａと等しくなっており、部屋４０にはこの踊り場３９ａから出入りできるようになっている。
【００２８】
建物の２階においては、図４に示すように、前記階段３９の下り口近傍に階段ホール４１が設けられており、この階段ホール４１の南側に部屋４２が設けられている。この部屋４２の東側に部屋４３が設けられており、部屋４２の西側に部屋４４が設けられている。部屋４４の北側の端部側にはウォークインクローゼット４４ａが建物の北東角部に設けられている。
また、階段３９とウォークインクローゼット４４ａとの間にはトイレ４５が階段ホール４１に面して設けられている。
そして、この階段ホール４１から部屋４２，４４にそれぞれ行き来できるようになっており、部屋４２から部屋４３に行き来できるようになっている。
また、部屋４０の天井は部屋４２や階段ホール４１の天井より低くなっており、この部屋４０の上方には、図４（ｂ）に示すようにロフト４９が設けられており、このロフト４９には階段ホール４１から出入りできるようになっている。
【００２９】
図３および図４に示すように、建物の南側の外壁４５ａには、この外壁４５ａから外側に突出する平断面視コ字型の突出外壁４６が１階（下階）から２階（上階）に亙って設けられている。この突出外壁４６は１階床の高さから２階天井の高さに亙って設けられている。
この突出外壁４６の内側には、１階から２階に吹き抜ける吹抜け部４７が設けられている。この吹抜け部４７は２階の天井まで吹き抜けている。吹抜け部４７の下部空間４７ａは１階の食堂（部屋）３６と連通しており、これによって食堂３６を拡張している。この食堂３６を拡張した部分には、ソファー等が配置されている。
また、突出外壁４６には、窓４６ａ，４６ａが１階部分において設けられている。
【００３０】
前記吹抜け部４７の上部空間４７ｂは、２階にある部屋４２と内壁４８を介して面している。この内壁４８は腰壁４８であり、この腰壁４８の上部は開口部５０となっている。したがって、部屋４２は、腰壁４８上の開口部５０を通して吹抜け部４７の上部空間４７ｂと連通している。
また、突出外壁４６には、窓４６ｂ，４６ｂが２階部分において設けられている。
【００３１】
また、前記突出外壁４６が設けられた建物の外壁４５ａに対向する外壁４５ｂに面して、前記階段３９用の階段室５１が設けられている。
そして、この階段室５１と前記吹抜け部４７との間は、１階および２階のそれぞれにおいて空気が流通可能となっている。
すなわち、１階においては、図３に示すように、吹抜け部４７の下部空間４７ａが食堂３６と連通しており、この食堂３６に階段室５１の下部空間が面している。したがって、１階においては、吹抜け部４７の下部空間４７ａと、階段室５１の下部空間とが食堂３６を通して連通している。
２階においては、図４に示すように、吹抜け部４７の上部空間４７ｂが開口部５０を通して部屋４２と連通しており、該部屋４２と階段ホール４１とが出入口４２ａを通して連通している。そして、階段ホール４１に階段室５１の上部空間が面している。したがって、２階においては、吹抜け部４７の上部空間４７ｂと、階段室５１の上部空間とが部屋４２、階段ホール４１を通して連通している。
このようにして、階段室５１と吹抜け部４７との間は、１階および２階のそれぞれにおいて空気が流通可能となっている。
【００３２】
また、図４に示すように、２階の外壁４５ａには、突出外壁４６に隣接してバルコニー５３が設けられており、このバルコニー５３には部屋４４から行き来可能になっている。
バルコニー５３の下方にある１階の外壁４５ｃは、２階の外壁４５ａより外側に突出しており、この１階の外壁４５ｃの上端部によって、バルコニ−５３が下方から支持されている。また、バルコニー５３の手摺壁５３ａの端部は突出外壁４６の側部に連結されている。
【００３３】
本実施の形態によれば、突出外壁４６の内側に、１階から２階に吹き抜ける吹抜け部４７が設けられており、吹抜け部４７の上部空間４７ｂは、２階にある部屋４２と腰壁４８を介して面しているので、２階の床面積を狭くすることなく吹抜け部４７を設けることができ、また、１階の食堂３６を吹抜け部４７の下部空間４７ａまで広げることができる。
また、前記腰壁４８の上部が開口部５０となっているので、この開口部５０を通して、１階の食堂３６と２階の部屋４２との間でコミュニケーションをとり易くなる。
さらに、突出外壁４６からの輻射熱が吹抜け部４７を通って上方に抜けるので、１階の食堂３６を快適に保てる。
【００３４】
また、階段室５１と吹抜け部４７との間は、１階および２階のそれぞれにおいて空気が流通可能となっているので、１階と２階との間で、階段室５１と吹抜け部４７を通して空気が流通し、建物全体の換気を容易にとることができる。
また、２階の外壁４５ａより外側に突出している１階の外壁４５ｃの上端部によってバルコニー５３が下方から支持されており、このバルコニー５３の手摺壁５３ａの端部が突出外壁４６の側部に連結されているので、バルコニー５３を２階の外壁４５ａから長く突出させても確実に支持することができ、よって、奥行きのあるバルコニー５３を得ることができる。
【００３５】
（第３の実施の形態）
図５〜図７は本発明に係る建物の第３の実施の形態を示すもので、図５は１階の平面図、図５は２階の平面図、図７は２．５階の平面図である。
【００３６】
建物の１階においては、図５に示すように、玄関６１の西側にキッチン６２が設けられ、北側に浴室６３、洗面室６４、トイレ６５が東西に並んで設けられている。
また、キッチン６２の西側に部屋６６が設けられ、この部屋６６の北側に天井高が０．９〜１．４ｍの収納室６７が設けられており、この収納室６７には部屋６６から出入りできるようになっている。
また、キッチン６２の北側に階段室６８が設けられており、この階段室６８にはパントリー６９と、１階から２階に至る階段７０、２階から２．５階に至る階段７１が設けられている。
さらに、収納室６７の上方には和室７２が設けられており（図６参照）、この和室７２の床と、前記階段７０の途中にある踊り場７０ａとが等しい高さとなっている。これによって、和室７２には踊り場７０ａから出入りできるようになっている。
【００３７】
建物の２階においては、図６に示すように、階段７０の下り口近傍および階段７２の上り口近傍に階段ホール７３が設けられており、この階段ホール７３の南側に天井高が０．９〜１．４ｍの収納室（収納用の部屋）７５が設けられている。この収納室７５には階段ホール７３から出入りできるようになっている。
また、収納室７５の東側には部屋７６が設けられており、この部屋７６には階段ホール７３から出入りできるようになっている。部屋７６の北側にはウォークインクローゼット７６ａが設けられている。
【００３８】
建物の２．５階においては、図７に示すように、階段７１の下り口の南側に居間７７が設けられており、この居間７７の西側に部屋７８が設けられている。部屋７８の北側にはウォークインクローゼット７８ａが設けられている。また、部屋７８の南側にはルーフバルコニー７９が設けられている。
【００３９】
図５および図６に示すように、建物の南側の外壁７８ａには、この外壁７８ａから外側に突出する平断面視コ字型の突出外壁８０が１階（下階）から２階（上階）に亙って設けられている。この突出外壁８０は１階床の高さから２階天井の高さに亙って設けられている。
この突出外壁８０の内側には、１階から２階に吹き抜ける吹抜け部８１が設けられている。この吹抜け部８１は２階の天井まで吹き抜けている。吹抜け部８１の下部空間８１ａは１階のキッチン６２と連通しており、これによって、キッチン６２の南側が拡張され、この部分が食堂８２となっている。
また、突出外壁８０には、正面と一方の側面とに窓８３，８４がそれぞれ設けられている。
【００４０】
前記吹抜け部８１の上部空間８１ｂは、２階にある収納室７５と内壁８５を介して面している。この内壁８５には、窓（開口部）８６が３つ設けられている。したがって、収納室７５は、窓８６を通して吹抜け部８１の上部空間８１ｂと連通している。
【００４１】
また、前記突出外壁８０が設けられた建物の外壁７８ａに対向する外壁７８ｂに面して、前記階段室６８が設けられている。
そして、この階段室６８と前記吹抜け部８１との間は、１階および２階のそれぞれにおいて空気が流通可能となっている。
すなわち、１階においては、図５に示すように、吹抜け部８１の下部空間８１ａ、つまり食堂８２がキッチン６２と連通しており、このキッチン６２に階段室６８の下部空間が面している。したがって、１階においては、吹抜け部８１の下部空間８１ａと、階段室６８の下部空間とがキッチン６２を通して連通している。
２階においては、図６に示すように、吹抜け部８１の上部空間８１ｂが開口部８６を通して収納室７５と連通しており、該収納室７５と階段ホール７３とが収納室７５への出入口７５ａを通して連通している。そして、階段ホール７３に階段室６８の上部空間が面している。したがって、２階においては、吹抜け部８１の上部空間８１ｂと、階段室６８の上部空間とが収納室７５、階段ホール７３を通して連通している。
このようにして、階段室６８と吹抜け部８１との間は、１階および２階のそれぞれにおいて空気が流通可能となっている。
【００４２】
本実施の形態によれば、突出外壁８０の内側に、１階から２階に吹き抜ける吹抜け部８１が設けられており、吹抜け部８１の上部空間８１ｂは、２階にある収納室７５と窓８６を介して面しているので、２階の床面積を狭くすることなく吹抜け部８１を設けることができ、また、１階のキッチン６２を吹抜け部８１の下部空間８１ａまで広げ、この部分を食堂８２とすることができる。
また、前記内壁８５に形成された開口部８６を通して、１階の食堂８２と２階の収納室７５との間でコミュニケーションをとり易くなる。
さらに、突出外壁８０からの輻射熱が吹抜け部８１を通って上方に抜けるので、１階の食堂８２を快適に保てる。
まあ、収納室７５に、内壁８５に形成された開口部８６を通して空気を出し入れできる、つまり換気を行える。また、内壁８５に形成された開口部８６を通して、収納室７５に採光をとれる。
【００４３】
また、階段室６８と吹抜け部８１との間は、１階および２階のそれぞれにおいて空気が流通可能となっているので、１階と２階との間で、階段室６８と吹抜け部８１を通して空気が流通し、建物全体の換気を容易にとることができる。
【図面の簡単な説明】
【００４４】
【図１】本発明に係る建物の第１の実施の形態を示すもので、１階の平面図である。
【図２】同、２階の平面図である。
【図３】本発明に係る建物の第２の実施の形態を示すもので、１階の平面図である。
【図４】同、２階の平面図である。
【図５】本発明に係る建物の第３の実施の形態を示すもので、１階の平面図である。
【図６】同、２階の平面図である。
【図７】同、２．５階の平面図である。
【符号の説明】
【００４５】
１０，１２，４２  上階にある部屋
１５ａ，４５ａ，７８ａ  建物の外壁
１６，４６，８０  突出外壁
１７，４７，８１  吹抜け部
１７ａ，４７ａ，８１ａ  下部空間
１７ｂ，４７ｂ，８１ｂ  上部空間
１８，４８，８５  内壁
２０，５０，８６  開口部
２１，５１，６８  階段室
２３，５３  バルコニー
２３ａ，５３ａ  手摺壁
【図１】
2010065412.tif 000003
【図２】
2010065412.tif 000004
【図３】
2010065412.tif 000005
【図４】
2010065412.tif 000006
【図５】
2010065412.tif 000007
【図６】
2010065412.tif 000008
【図７】
2010065412.tif 000009